(57)【要約】【課題】防火カーテン自体の機能を損なうことなく、磁石板によるシール機能の耐熱性を向上させることのできる防火カーテンを提供すること。【解決手段】防火シート１１、１２に磁石板１３を取り付け、その磁石板１３が設置箇所の開口縁２３に吸着することによって設置箇所の開口部を閉鎖する防火カーテン１０であって、前記磁石板１３はキュリー温度が８００℃以上の磁石のみを使用して短冊状に成形されたものであり、この短冊状の磁石板１３を防火シート１１、１２の周縁部に上下方向に所定間隔で複数取り付け、防火シート１１、１２を上下方向に巻き上げ及び巻き下げ可能とした。【選択図】    図１
2005013499.tif 000002
【特許請求の範囲】
【請求項１】
防火シートに磁石板を取り付け、その磁石板が設置箇所の開口縁に吸着することによって設置箇所の開口部を閉鎖する防火カーテンであって、
前記磁石板はキュリー温度が８００℃以上の磁石のみを使用して短冊状に成形されたものであり、この短冊状の磁石板を防火シートの周縁部に上下方向に所定間隔で複数取り付け、防火シートを上下方向に巻き上げ及び巻き下げ可能とした防火カーテン。
【請求項２】
前記磁石板がＳｍ−Ｃｏ系の磁石からなるものである請求項１に記載の防火カーテン。
【請求項３】
前記磁石板を２枚の防火シートの間に挟むようにして取り付けた請求項１又２に記載の防火カーテン。
【発明の詳細な説明】
【０００１】
【発明の属する技術分野】
本発明は、エレベータの出入口や非常口などに設置される防火カーテンに関する。
【０００２】
【従来の技術】
従来、防火カーテンとして防火シートを利用したものが知られており、特許文献１には、火災時の熱風などで防火シートが撓んだ場合にも設置箇所の開口部に隙間が生じないようにシールするために、防火シートの周縁部にボンド磁石を取り付けたものが開示されている。このボンド磁石は、通常、フェライト磁石を合成樹脂或いはゴムをバインダーとして可撓性を有する板状に成形したものである。
【０００３】
しかし、このようなボンド磁石では、フェライト磁石のキュリー温度が４００〜５００℃程度と低いため、火災時に高温になると磁力が失われ、現実的には１５０〜２００℃程度で磁力によるシール機能が失われてしまう。また、火災時に約５００℃に達するとバインダーとして使用している合成樹脂或いはゴムが変形、溶融、燃焼等を起こしてしまうという問題がある。
【０００４】
【特許文献１】
特開平１０−２０５２４６号公報
【０００５】
【発明が解決しようとする課題】
本発明が解決しようとする課題は、防火カーテン自体の機能を損なうことなく、磁石板によるシール機能の耐熱性を向上させることのできる防火カーテンを提供することにある。
【０００６】
【課題を解決するための手段】
上記課題を解決するために、本発明は、シール用の磁石板としてキュリー温度の高い磁石を使用してこれを短冊状に成形し、この短冊状の磁石板を防火シートの周縁部に上下方向に所定間隔で複数取り付け、一連のすだれ状とすることによって、防火シートを上下方向に巻き上げ及び巻き下げ可能としたものである。
【０００７】
磁石板を構成する磁石のキュリー温度は、高ければ高い程良いが、消防法の政令１０８条の３の規定をクリアするため８００℃の外気熱に２０分以上耐え得るためにはキュリー温度は８００℃以上とする必要がある。そのためには、Ｓｍ−Ｃｏ系の磁石を使用するのが好適である。
【０００８】
本発明において、磁石板は２枚の防火シートの間に挟むようにして取り付けることが好ましい。このような構成にすることで、防火カーテンを巻き上げた状態で磁石板どうしが直接接触して吸着することがないので、巻き下げの際に磁石板どうしの吸着力による抵抗を低減し、巻き下げを容易に行うことができる。
【０００９】
【発明の実施の形態】
以下、本発明の防火カーテンを、エレベータ・ドアからの煙や炎の侵入を防止すためにエレベータの出入口に取り付けた実施例に基づき本発明の実施の形態を説明する。
【００１０】
図１は、本発明の防火カーテンをエレベータの出入口に取り付けた状態の一部切欠斜視図である。同図に示すように、本発明の防火カーテン１０は、エレベータ２０の出入口に設けられており、常時は巻き上げられてエレベータ・ドア２１上部のハウジング２２内に収納され、火災発生時に巻き下げされてエレベータ２０の出入口の開口部を覆うようになっている。防火カーテン１０の巻き上げ及び巻き下げは、火災発生信号等の制御信号によって動作するモータ３０によって行われる。
【００１１】
図２は、防火カーテン１０の要部を示す一部切開斜視図である。防火カーテン１０は、２枚の防火シート１１、１２と、防火シート１１、１２で挟むようにしてその両端周縁部の上下方向に所定間隔で複数取り付けた磁石板１３と、防火シート１１、１２の下端部に取り付けたシールバー１４とからなる。
【００１２】
防火シート１１、１２は、１１００℃まで耐えることができるようにアミド系又はカーボン系の不燃布からなる。エレベータ・ドア２１（図１参照）に面する防火シート１１は、専ら火災時にエレベータ・ドア２１からの煙や炎の侵入を防止するためのもので、その厚さは２ｍｍとしている。他方の防火シート１２は、煙や炎の侵入防止の機能を持つとともに、防火カーテン１０を巻き上げるときに上下の磁石板１３、１３どうしが吸着し、後で巻き下げるときにその障害とならないないように、磁石板１３、１３の間に位置して遮磁する機能を持つものである。遮磁のためには、防火シート１２の厚さは厚ければ厚い程良いが、５〜８ｍｍが適当である。
【００１３】
磁石板１３は、キュリー温度が８２０℃の信越化学工業（株）製のＳｍ−Ｃｏ系磁石（商品名：Ｒ２６ＨＳ）を使用して、４ｔ×３０Ｈ×８０Ｌ（ｍｍ）の短冊状に成形したもので、耐熱性の接着剤によって防火シート１１、１２に取り付けられている。各磁石板１３は、上下方向に所定間隔（実施例では５ｍｍ）をおいて配列されており、また、図２に示すように各磁石板１３の極性は、防火シート１１側及び防火シート１２側がそれぞれ同極になるようにように配置される。
【００１４】
なお、磁石板１３の防火シート１１、１２への取り付けは、ボルト・ナットを使用したり、防火性の糸や針金で縫い付けたりすることによって行うこともできる。また、磁石板１３をアルミニウム、銅、ステンレス等の金属箔で包むことによって耐熱性を向上させることもできる。
【００１５】
シールバー１４は棒状の錘であり、このシールバーの重みによって防火カーテン１０が巻き下げられ、また、巻き下げられた状態が安定的に維持される。
【００１６】
以上の構成において、防火シート１０を巻き下げた状態では、図１に示すように、磁石板１３がエレベータ２０の開口端を構成している鋼製の補助レール２３に吸着してエレベータ２０の開口部がシールされる。
【００１７】
【発明の効果】
シール用の磁石板としてキュリー温度が８００℃以上の磁石を使用しているので、火災時に高温になったとしても磁石板によるシール性能が失われにくく、防火性能が向上する。また、磁石板は短冊状に成形し、防火シートの周縁部に上下方向に所定間隔で取り付け、すだれ状としているので、巻き上げ及び巻き下げも容易である。
【図面の簡単な説明】
【図１】本発明の防火カーテンをエレベータの出入口に取り付けた状態の一部切欠斜視図である。
【図２】防火カーテンの要部を示す一部切開斜視図である。
【符号の説明】
１０  防火カーテン
１１、１２  防火シート
１３  磁石板
１４  シールバー
２０  エレベータ
２１  エレベータ・ドア
２２  ハウジング
２３  補助レール
３０  モータ
【図１】
2005013499.tif 000003
【図２】
2005013499.tif 000004